(57)【要約】【課題】  本発明は表示装置に関する。【解決手段】  表示装置は１対の電極間に配置された発光層と、１方のフィルタ層の色が他方のフィルタ層の色に対して実質的に補色である２個の補色型フィルタ層とを含む。２個のフィルタ層は周囲光により発生するコントラストの減少を著しく抑制するための表示装置の発光側に配置される。【選択図】  図１
2005201934.tif 000002
【特許請求の範囲】
【請求項１】
第１および第２電極と；
前記第１および第２電極間に配置された発光層と；
前記表示装置の発光側に配置された第１および第２フィルタ層とより成り；
前記１フィルタ層の色が前記２フィルタ層の色に対して実質的に補色であることを特徴とする表示装置。
【請求項２】
前記第１フィルタ層は黄色であり、前記第２フィルタ層はブルーであることを特徴とする請求項１記載の表示装置。
【請求項３】
前記フィルタ層は蒸発性の顔料又は染料からなることを特徴とする請求項１記載の表示装置。
【請求項４】
請求項１記載の表示装置において、該表示装置は基板を備え、
前記第１電極は反射金属からなり、前記基板上に配置され；
前記発光層は前記第１電極上に配置され；
前記第２電極は透明材料からなり、前記発光層上に配置され；
前記第１および前記第２フィルタ層は前記第２電極上に配置され；
前記発光層により発生した光が前記第２電極を通過し、前記基板を通過することなく前記第１および前記第２フィルタ層を通して出力することを特徴とする請求項１記載の表示装置。
【請求項５】
請求項１記載の表示装置において、該表示装置は前記対向する前記第１および前記第２表面を有する基板を備え；
前記第１電極が透明材料からなり、前記基板の前記第１表面上に配置され；
前記発光層は前記第１電極上に配置され；
前記第２電極は反射金属からなり、前記発光層上に配置され；
前記第１および前記第２フィルタ層は前記基板の前記第２表面上に配置され；
前記発光層により発生した光が前記第１電極と前記基板を通過し、前記第１および前記第２フィルタ層を通して出力することを特徴とする請求項１記載の表示装置。
【発明の詳細な説明】
【技術分野】
【０００１】
本発明は表示装置に関し、特に改良されたコントラスト比を有する有機エレクトロルミネセンス（ＥＬ）装置に関する。
【背景技術】
【０００２】
典型的な有機エレクトロルミネセンス（ＥＬ）装置は、複数の電極、すなわち一方の電極がアルミニウムのような金属からなり、他方の電極が、例えば、インジウム錫酸化物（ＩＴＯ）より形成された透明電極からなる複数の電極により挟まれた有機ＥＬ層を含む複合構造より成っている。前記有機ＥＬ層から放出された光の一部は、前記透明電極を通して直接出力され、一方金属電極方向に出力される光は該金属電極で反射され、前記透明電極層を通して出力される。前記透明電極を通り前記有機ＥＬ層上に入射する周囲光は、前記金属電極により反射され、前記透明電極を通して出力される。すなわち、周囲光は画像を形成するため前記有機ＥＬ層から放出された内部光に加算される。したがって日光のような周囲光下では、画像のコントラストは減少する。多くの実用化において、有機ＥＬ装置は暗闇から目映い日光に至る周囲光条件下で容易に見えることが重要であるので、前記金属電極からの周囲光の反射を十分に減少させることが求められる。
【発明の開示】
【発明が解決しようとする課題】
【０００３】
このようなコントラストの減少を防止するためのよく知られた方法としては、円偏光手段、典型的には、ＥＬ装置の発光面に提供される、直線偏光子と１／４波長板の組合せを使用することである。周囲光の円偏光方向は表示装置により反射される円偏光の方向と逆であるので、周辺光は円偏光手段により阻止される。しかしながら、偏光手段の使用は重大なコスト上昇となる。
【０００４】
したがって、従来技術の上記問題を解決する又は少なくとも減少させるための課題が有機ＥＬ装置の技術分野に存在する。
【０００５】
本発明の目的は周囲光により生ずるコントラストの減少を十分に抑制することができる表示装置を提供することにある。
【課題を解決するための手段】
【０００６】
上述の目的と他の目的を達成するため、本発明は１対の電極間に配置された発光層と、１方のフィルタ層の色が他方のフィルタ層の色に対する補色である２個の補色型フィルタ層を含む表示装置を提供するものである。２個のフィルタ層は発光層により発生した光がフィルタ層に１回のみ通過するが、周囲光はフィルタ層を２回通過するように、表示装置の発光側に配置される。したがって、２個のフィルタ層は画像の形成時に反射周囲光に対する（発光層から放出された）内部光の比を増加させ、周囲光により生じるコントラストの減少を十分に抑制する。
【発明を実施するための最良の形態】
【０００７】
本発明の他の目的および利点および新規な特徴は添付の図面に関連した後述の詳細な説明からより明らかになるであろう。
【０００８】
本発明の表示装置は、主にアノードとカソードからなる１対の電極間に配置された発光層、および周囲光により生じるコントラストの減少を抑制するための２個の補色型フィルタ層とを備えている。用語“２個の補色型フィルタ層”は、明細書全体を通して、一方のフィルタ層の色が実質的に他方のフィルタ層の色に対して補色である２つのフィルタ層を表わす。本発明の表示装置は、２個の補色型フィルタ層が発光側に配置される限り、そのシステム、駆動方法および利用形態に特に制限されない。
【０００９】
図１−図３は本発明の好ましい実施例による表示装置を示し、類似の部品には同一参照符号が付けられている。これらの図において、符号１０はガラス又は他の適当な材料から形成された表示装置を形成するための基板を示す。符号１２はアノードして作用するＰｔ、Ａｕ、Ｃｒ、又はＷからなる反射層である。符号２０は発光層を示す。符号２４は発光層２０の上部表面にＩＴＯ等から形成され、カソードとして作用する透明導電層を示す。
【００１０】
符号２６と２８は上記の２個の補色型フィルタ層を示し、フィルタ層２６の色は第２フィルタ層２８の色に対して補色である。例えば、フィルタ層２６は黄色であり、フィルタ層２８はブルーである。すなわち、フィルタ層２６は黄色顔料又は染料からなり、フィルタ層２８はブルー顔料又は染料からなる。これらのフィルタ層は特定の色を吸収し特定の色を透過する。効率よく透過される色はフィルタ色と同一又は類似の色である。吸収される色はフィルタの色に対して補色（逆）である。フィルタ層２６の色は第２フィルタ層２８の色に対して補色関係にあるので、フィルタ層２６および２８は共にほぼ光のすべての色を吸収することにより光吸収層として作用する。
【００１１】
本発明の表示装置において、発光層２０は積層構造を有する有機ルミネセンス（ＥＬ）層の一部をなす。この積層構造の一般的構成はホール伝達層、発光層、および電子伝達層より成る。
【００１２】
図１は本発明の１実施例による表示装置１００の一部を示す。図示のごとく、透明導電層２４は基板１０の一方の表面１０ａ上に配置される。発光層２０は透明導電層２４上に配置される。反射層１２は発光層２０上に配置される。フィルタ層２６および２８は基板１０の他方の表面１０ｂ上に配置される。この実施例において、電圧が反射層１２（アノード）と透明導電層２４（カソード）に印加されると、発光層２０により発生した光の内、ほぼ５０％が光Ｆ１として基板１０の方向に直接放出され、他の５０％は反射層１２に向けて放出され、光Ｆ２として反射層１２の表面から反射される。したがって、発光層２０により発生する光は透明導電層２４と基板１０を通過し、フィルタ層２６および２８と通して出力される。もし表示装置１００が室内光から明るい日光までの周囲光下で視認される場合、このような周囲光は透明基板１０および透明導電層２４を通して表示装置に入り易い。表示装置１００に入るこの周囲光は反射周辺光Ｆ３として示される反射層１２の表面から反射される。
【００１３】
“下方光取出し”構成を採用している図１に示される表示装置１００は、ルミネセンスに不均一さを発生する傾向にあり、大型画面にするのが難しい。したがって、ルミネセンスの均一性を改善するため、“上取出し”構成（図２参照）の表示装置２００が好ましい。図示のごとく、前面発光の表示装置にあっては、反射層１２は基板１０上に配置される。発光層２０は反射層１２上に配置される。透明導電層２４は発光層２０上に配置される。フィルタ層２６と２８は透明導電層２４の上方に配置される。この実施例において、発光層２０により発光した光の内、ほぼ５０％は光Ｆ１１として基板１０から外方向に直接放出され、他の５０％は反射層１２の方向に放出され、光Ｆ１２として反射層１２の表面から反射される。したがって、発光層２０により発光する光は透明導電層２４を透過し、基板１０を通過することなく、フィルタ層２６および２８を通じて出力される。したがって、表示装置２００に入る周囲光は反射周囲光Ｆ１３として示される反射層１２の表面から反射される。
【００１４】
本発明はさらに図２に示される“上取出し”構成を採用しているアクティブマトリクス表示装置３００を提供するものである。図示のごとく、反射層１２は薄膜トランジスタ３０のようなスイッチング素子に電気的に接続される。発光層２０は反射層１２上に配置される。透明導電層２４は発光層２０上に配置される。ＺｎＳｅ層のような誘電体被膜層３２がエミッション特性を調整するため且つ光外部結合を増大させるため透明導電層２４の上部に配設される。フィルタ層２６および２８は誘電体被膜層３２上に配置される。したがって、発光層２０により放出された光は、透明導電層２４と誘電体被膜層３２を通過し、基板１０を通過することなくフィルタ層２６および２８を通して出力される。
【００１５】
図１−図３に示すごとく、フィルタ層２６と２８は発光層２０により発光する光が１回のみフィルタ層２６と２８を通過するように表示装置１００，２００および３００の発光側に配置されるが、周囲光はフィルタ層２６と２８を２回通過する。したがって、光吸収層として作用する第１層２６と２８の組み合わせは（発光層から放出される）内部光の画像形成時の反射周囲光に対する比を増加させ、周囲光によるコントラストの減少を著しく抑制させることができる。
【００１６】
特に、フィルタ層２６および２８を形成するための有益な材料は蒸発性顔料又は染料である。ここで使用される用語“蒸発性”は物理的蒸着技術により分子的に保全された薄膜形態で蒸着可能であることを意味する。このような好ましい材料はバイヤー（Ｂａｙｅｒ）コーポレーションから商業的に購入できるマクロレックス（Ｍａｃｒｏｌｅｘ）イエロー６Ｇおよび銅フタロシアニン（ＣｕＰｃ）がある。
【００１７】
従来、赤（Ｒ）、緑（Ｇ）、ブルー（Ｂ）発光画素で得られ、それぞれＲ、Ｇ、およびＢ光成分を伝達するるカラーフィルタは、Ｒ、Ｇ、およびＢ光成分以外の外部光の反射を抑制することができる。しかしながら、３個のフィルタの製造は３つのパターニング処理を要求し、製造コスト増大を招く。一方、本発明のフィルタ層２６および２８は表示装置の全表面上に従来の熱蒸着により形成できる。したがって、この実施例において、本発明の実施ではフィルタ層の特定のパターニング処理を必要としないので、低い製造コストで高生産性を実現する。
【００１８】
本発明は好ましい実施例に関して説明されたが、多くの他の可能な改造および変更が以下の特許請求の範囲として本発明の意図および範囲から逸脱することなく実施されることが可能である。
【産業上の利用可能性】
【００１９】
以上の説明から、本発明の表示装置は有機ＥＬ装置に応用できる。
【図面の簡単な説明】
【００２０】
【図１】図１は本発明の好ましい一実施例に係る表示装置の概略断面図である。
【図２】図２は本発明の好ましい他の実施例に係る表示装置の概略断面図である。
【図３】図３は本発明のさらに他の好ましい一実施例に係るアクティブマトリクス表示装置の概略断面図である。
【符号の説明】
【００２１】
１０    基板
１２    反射光（アノード）
２０    発光層
２４    透明導電層（カソード）
２６    フィルタ層
２８    フィルタ層
３０    薄膜トランジスタ
３２    誘電体被膜層
【図１】
2005201934.tif 000003
【図２】
2005201934.tif 000004
【図３】
2005201934.tif 000005
【外国語明細書】
2005201934.tif 000006
2005201934.tif 000007
2005201934.tif 000008
2005201934.tif 000009
2005201934.tif 000010
2005201934.tif 000011
2005201934.tif 000012
2005201934.tif 000013
2005201934.tif 000014
2005201934.tif 000015
2005201934.tif 000016